(57)【要約】【課題】固定筒の内部に備えられた通信部との通信が容易なレンズ鏡筒及び電子機器を提供する。【解決手段】第１の貫通孔１７ａ、１７ｂを有する固定筒１１と、第２の貫通孔１７ｃを有し固定筒１１と相対的に移動可能に備えられた移動部１３と、第１の貫通孔１７ａ、１７ｂと対向するように固定筒１１の内部に備えられ固定筒１１の外部との通信が可能な通信部Ｃ１０、Ｃ１１とを含み、移動部１３は、第１の貫通孔１７ａ、１７ｂと第２の貫通孔１７ｃとが重なるように移動可能に備えられていることを特徴とするレンズ鏡筒１０。【選択図】図２
2008111980.tif 000002
【特許請求の範囲】
【請求項１】
第１の貫通孔を有する固定筒と、
第２の貫通孔を有し前記固定筒と相対的に移動可能に備えられた移動部と、
前記第１の貫通孔と対向するように前記固定筒の内部に備えられ前記固定筒の外部との通信が可能な通信部とを含み、
前記移動部は、前記第１の貫通孔と前記第２の貫通孔とが重なるように移動可能に備えられていること
を特徴とするレンズ鏡筒。
【請求項２】
請求項１に記載のレンズ鏡筒において、
前記通信部は、複数であり、それぞれ異なる方向に備えられており、
前記第２の貫通孔は、前記複数の通信部のそれぞれと対向するように移動可能であること
を特徴とするレンズ鏡筒。
【請求項３】
請求項２に記載のレンズ鏡筒において、
前記第１の貫通孔は、複数であり、前記複数の通信部のそれぞれと対向するように備えられていること
を特徴とするレンズ鏡筒。
【請求項４】
請求項２又は請求項３に記載のレンズ鏡筒において、
前記第２の貫通孔は、複数であること
を特徴とするレンズ鏡筒。
【請求項５】
請求項１から請求項４までのいずれか１項に記載のレンズ鏡筒において、
前記移動部は、フォーカスリングであること
を特徴とするレンズ鏡筒。
【請求項６】
請求項１から請求項４までのいずれか１項に記載のレンズ鏡筒において、
前記移動部は、ズームリングであること
を特徴とするレンズ鏡筒。
【請求項７】
請求項１から請求項４までのいずれか１項に記載のレンズ鏡筒において、
前記移動部は、三脚座であること
を特徴とするレンズ鏡筒。
【請求項８】
請求項１から請求項７までのいずれか１項に記載のレンズ鏡筒において、
前記第２の貫通孔を塞ぐシールド部材を含むこと
を特徴とするレンズ鏡筒。
【請求項９】
請求項１から請求項８までのいずれか１項に記載のレンズ鏡筒を備えたこと
を特徴とする電子機器。
【発明の詳細な説明】
【技術分野】
【０００１】
本発明は、レンズ鏡筒及びレンズ鏡筒を備える電子機器に関するものである。
【背景技術】
【０００２】
カメラ等の電子機器は、鏡筒の外観筒に形成された貫通孔を介して、鏡筒に備えられたコネクタと鏡筒の外部に備えられた外部機器と容易に接続できるものが知られている（例えば、特許文献１参照）。
【特許文献１】特開２００３−１４９５２４号公報
【発明の開示】
【発明が解決しようとする課題】
【０００３】
本発明の課題は、固定筒の内部に備えられた通信部との通信が容易なレンズ鏡筒及び電子機器を提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
請求項１の発明は、第１の貫通孔（１７ａ、１７ｂ）を有する固定筒（１１）と、第２の貫通孔（１７ｃ）を有し前記固定筒と相対的に移動可能に備えられた移動部（１３）と、前記第１の貫通孔と対向するように前記固定筒の内部に備えられ前記固定筒の外部との通信が可能な通信部（Ｃ１０、Ｃ１１）とを含み、前記移動部は、前記第１の貫通孔と前記第２の貫通孔とが重なるように移動可能に備えられていることを特徴とするレンズ鏡筒（１０）である。
【０００５】
請求項２の発明は、請求項１に記載のレンズ鏡筒において、前記通信部（Ｃ１０、Ｃ１１）は、複数であり、それぞれ異なる方向に備えられており、前記第２の貫通孔（１７ｃ）は、前記複数の通信部のそれぞれと対向するように移動可能であることを特徴とするレンズ鏡筒（１０）である。
請求項３の発明は、請求項２に記載のレンズ鏡筒において、前記第１の貫通孔（１７ａ、１７ｂ）は、複数であり、前記複数の通信部（Ｃ１０、Ｃ１１）のそれぞれと対向するように備えられていることを特徴とするレンズ鏡筒（１０）である。
請求項４の発明は、請求項２又は請求項３に記載のレンズ鏡筒において、前記第２の貫通孔（４７ｃ、４７ｄ）は、複数であることを特徴とするレンズ鏡筒（４０）である。
請求項５の発明は、請求項１から請求項４までのいずれか１項に記載のレンズ鏡筒において、前記移動部は、フォーカスリング（１４）であることを特徴とするレンズ鏡筒である。
請求項６の発明は、請求項１から請求項４までのいずれか１項に記載のレンズ鏡筒において、前記移動部は、ズームリング（１３）であることを特徴とするレンズ鏡筒（１０）である。
請求項７の発明は、請求項１から請求項４までのいずれか１項に記載のレンズ鏡筒において、前記移動部は、三脚座（５８）であることを特徴とするレンズ鏡筒（５０）である。
請求項８の発明は、請求項１から請求項７までのいずれか１項に記載のレンズ鏡筒において、前記第２の貫通孔（１７ｃ）を塞ぐシールド部材（１３ａ）を含むことを特徴とするレンズ鏡筒（１０）である。
請求項９の発明は、請求項１から請求項８までのいずれか１項に記載のレンズ鏡筒（１０）を備えたことを特徴とする電子機器（１）である。
なお、符号を付して説明した構成は、適宜改良してもよく、また、少なくとも一部を他の構成物に代替してもよい。
【発明の効果】
【０００６】
本発明によれば、固定筒の内部に備えられた通信部との通信が容易なレンズ鏡筒及び電子機器を提供することができる。
【発明を実施するための最良の形態】
【０００７】
［実施形態１］
以下、図面を参照して、本発明の実施形態をあげて、さらに詳しく説明する。なお、以下の実施形態は、レンズ鏡筒を備えた電子機器として、カメラシステムを例にとって説明する。
図１は、実施形態１のカメラシステムを示す図である。
図２は、図１のＡ−Ａ矢視断面図であり、（ａ）は、第１のコネクタへのアクセス時、
（ｂ）は、第２のコネクタへのアクセス時の状態をそれぞれ示している。
【０００８】
カメラシステム１は、カメラ本体２に対してレンズ鏡筒１０が着脱可能に装着されるレンズ交換式の一眼レフカメラシステムである。
カメラ本体２は、例えば、レンズ鏡筒１０に備えられた撮影光学系が取得した像光が露光される撮像素子（図示省略）を備えたデジタルカメラである。なお、カメラ本体は、銀塩フィルムに像光を露光するフィルムカメラであってもよい。
【０００９】
レンズ鏡筒１０は、複数の図示しないレンズ群によって構成された撮影光学系を保持している。レンズ鏡筒１０に備えられた複数のレンズ群には、例えば、ズームレンズ群、フォーカスレンズ群、ブレ補正レンズ群として機能するものが含まれている。以下、この撮像光学系の光軸に符号Ｌを付して説明する。
レンズ鏡筒１０は、外側固定筒１１、マウント部１２、ズームリング１３、フォーカスリング１４、内側固定筒１５、回路基板１６（１６ａ、１６ｂ、１６ｃ）、及び、案内部１７を備えている（内側固定筒１５及び回路基板１６は図２参照）。
【００１０】
外側固定筒１１は、例えば、合成樹脂材料によって略円筒形状に形成されている。外側固定筒１１は、レンズ鏡筒１０の外観面を形成する筒体であり、その内径側に撮像光学系や後述する内側固定筒１５及び回路基板１６を収容している。
外側固定筒１１は、レンズ鏡筒１０がカメラ本体２に装着された状態において、カメラ本体２に対する位置が固定されるようになっており、撮影時等におけるカメラ本体２に対する移動が制限されている。
【００１１】
マウント部１２は、レンズ鏡筒１０の光軸Ｌ方向における像側（カメラ本体２側）の端部に設けられた、例えば、バヨネット式のマウントである。マウント部１２は、カメラ本体２に設けられた不図示のマウント部と係合してカメラ本体２とレンズ鏡筒１０とを固定する接続手段である。
このマウント部１２には、カメラ本体２に備えられた不図示の電気接点と接触して、カメラ本体２に備えられた制御部とレンズ鏡筒１０に備えられた制御部との電気的な通信を可能にする電気接点１２ａが設けられている。
【００１２】
ズームリング１３及びフォーカスリング１４は、外側固定筒１１と略同軸に配置された円環状の部材であり、それぞれ外側固定筒１１の外径側に設けられている。ズームリング１３及びフォーカスリング１４は、外側固定筒１１の光軸Ｌ方向の中間部分において、光軸Ｌ方向に離間して設けられており、ズームリング１３がフォーカスリング１４よりも光軸Ｌ方向像側に設けられている。
ズームリング１３及びフォーカスリング１４は、撮影者の操作に応じて、それぞれ外側固定筒１１に対して光軸Ｌ回りに相対回転可能になっている。
【００１３】
レンズ鏡筒１０は、それぞれ図示しないズームレンズ群及びフォーカスレンズ群を、例えば、カム機構によって光軸Ｌ方向に駆動するようになっている。
レンズ鏡筒１０は、ズームリング１３の回転に連動してズームレンズ群の焦点距離が変化するようになっている。このズームリング１３の可動範囲は、ズーム操作時の操作性を考慮して、例えば、光軸回りの９０°程度の範囲となっている。
また、フォーカスリング１４は、その回転によってフォーカスレンズ群を駆動し、レンズ鏡筒１０は、これによって合焦操作が行われるようになっている。
【００１４】
ズームリング１３は、その外周面にゴムリング１３ａが装着されている。ゴムリング１３ａは、弾性変形が可能な、例えば、ゴム系の材料によって形成された円環状の部材であり、ズーム操作時における滑り止めとして機能する。ゴムリング１３ａは、ズームリング１３に対して着脱可能となっている。
フォーカスリング１４も、ズームリング１３と同様にその外周面にゴムリング１４ａが装着されている。
【００１５】
内側固定筒１５は、外側固定筒１１の内径側に配置された筒体である（図２参照）。この内側固定筒１５は、外側固定筒１１の内径寸法よりも外径寸法が小さい筒体であり、外側固定筒１１と内側固定筒１５との間には、空間部が形成されている。
内側固定筒１５は、外側固定筒１１に対する位置が固定されており、外側固定筒１１と同様にレンズ鏡筒１０がカメラ本体２に装着された状態において、カメラ本体２に対する移動が制限されている。
【００１６】
回路基板１６は、外側固定筒１１と内側固定筒１５との間に形成された空間部に配置され、第１の硬質基板１６ａ、第２の硬質基板１６ｂ、フレキシブルプリント基板（ＦＰＣ）１６ｃを備えている。
第１の硬質基板１６ａ及び第２の硬質基板１６ｂは、後述するコネクタＣ（Ｃ１０、Ｃ１１）が実装された面（以下、実装面と称して説明する）とは反対側の面が内側固定筒１５の外周面に対向した状態でそれぞれ内側固定筒１５に固定されている。
第１の硬質基板１６ａと第２の硬質基板１６ｂとは、それぞれの実装面を含む平面が、例えば、９０°程度の角度を成すように配置され、近接する端部同士がＦＰＣ１６ｃによって接続されている。これによって、回路基板１６は、光軸Ｌ方向からみた全体的な形状が略Ｌ字状になっている（図２参照）。
【００１７】
第１の硬質基板１６ａは、第１のコネクタＣ１０と、それぞれ図示しないＣＰＵ及び不揮発性メモリとが実装され、第２の硬質基板１６ｂは、第２のコネクタＣ１１と、それぞれ図示しないＣＰＵ及び不揮発性メモリとが実装されている。
第１のコネクタＣ１０は、第１の硬質基板１６ａの実装面上であって、第２の硬質基板１６ｂに近接する端部に設けられている。これに対し、第２のコネクタＣ１１は、第２の硬質基板１６ｂの実装面であって、第１の硬質基板１６ａに近接する端部とは反対側の端部に設けられている。
第１のコネクタＣ１０及び第２のコネクタＣ１１は、その光軸Ｌ方向の位置が略同じとされ、かつ、ズームリング１３の内径側に配置されている（図１参照）。
【００１８】
第１の硬質基板１６ａに備えられた不揮発性メモリには、例えば、オートフォーカス時にフォーカスレンズ群を駆動するアクチュエータを制御するプログラム等のソフトウエアや各種データ（以下、ソフトウエア等という）が保存されており、ＣＰＵは、このプログラム等に基づいてレンズ鏡筒１０を制御する。ＣＰＵ及び不揮発性メモリの実装位置は、特に限定されず、例えば、第１のコネクタＣ１０と同様に第１の硬質基板１６ａの実装面に実装されていてもよく、また、実装面とは反対側の面に実装されていてもよい。
第２の硬質基板１６ｂに備えられた不揮発性メモリには、例えば、ブレ補正時にブレ補正レンズ群の駆動を制御するプログラム等のソフトウエア等が保存されている。
【００１９】
ここで、第１の硬質基板１６ａの不揮発性メモリ及び第２の硬質基板１６ｂの不揮発性メモリに格納されたソフトウエア等は、それぞれ書き換え可能になっている。
このソフトウエア等の書き換えは、レンズ鏡筒１０の外部に備えられた、例えば、パーソナルコンピュータ等の図示しない端末装置とこれらの不揮発性メモリとを、例えば、フレキシブルプリント基板（ＦＰＣ）３によって有線接続し、端末装置からデータを送信することによって行う。
【００２０】
前述の第１のコネクタＣ１０の差込口は、第１の硬質基板１６ａの実装面と略平行な方向（図２（ａ）における矢印ａで示す方向）に開口している。コネクタＣ１０は、この矢印ａ方向に沿ってＦＰＣ３が抜き差しされる。
また、第２のコネクタＣ１１の差込口も、同様に第２の硬質基板１６ｂの実装面と略平行な方向（図２における矢印ｂで示す方向）に向けて開口しており、ＦＰＣ３が矢印ｂ方向に沿って抜き差しされる。
【００２１】
案内部１７は、レンズ鏡筒１０の外部からＦＰＣ３をレンズ鏡筒１０の内部に設けられた第１のコネクタＣ１０又は第２のコネクタＣ１１に案内する部分であり、外筒側第１貫通孔１７ａ、外筒側第２貫通孔１７ｂ、ズームリング側貫通孔１７ｃを備えている。
外筒側第１貫通孔１７ａは、外側固定筒１１の一部をその径方向に貫通して設けられている。この外筒側第１貫通孔１７ａは、第１の硬質基板１６ａに設けられたコネクタＣ１０に対し、外側固定筒１１の径方向に対向する位置に形成されている。
外筒側第２貫通孔１７ｂは、外筒側第１貫通孔１７ａと同様な貫通孔であり、第２の硬質基板１６ｂに設けられたコネクタＣ１１に対向する位置に形成されている。
外側固定筒１１における、外筒側第１貫通孔１７ａ及び外筒側第２貫通孔１７ｂが形成された部分（エッジの部分）には、それぞれ第１の硬質基板１６ａ、第２の硬質基板１６ｂに近接する端部がＦＰＣ３の差込方向と略平行となる面（図２において符号Ｓで示す）が形成されている（図２参照）。これにより、ＦＰＣ３を外筒側第１貫通孔１７ａ及び外筒側第２貫通孔１７ｂにスムーズに挿入できる。
【００２２】
ズームリング側貫通孔１７ｃは、ズームリング１３の光軸Ｌ方向における中間部分をその径方向に貫通して設けられた貫通孔である。このズームリング側貫通孔１７ｃの開口寸法は、外筒側第１貫通孔１７ａ及び外筒側第２貫通孔１７ｂよりも大きくなっている。
ズームリング１３は、ズームリング側貫通孔１７ｃの光軸Ｌ回りの位置が、図２（ａ）に示すような外筒側第１貫通孔１７ａと重なる第１の位置と、図２（ｂ）に示すように外筒側第２貫通孔１７ｂと重なる第２の位置との間を移動可能になっている。
【００２３】
次に、レンズ鏡筒１０における不揮発性メモリのソフトウエア等の書き換え作業について説明する。
例えば、第１の硬質基板１６ａに設けられた不揮発性メモリのソフトウエア等を書き換える場合、端末装置と不揮発性メモリとは、第１のコネクタＣ１０を介してＦＰＣ３によって有線接続される。
このとき、まず、ズームリング１３の外周面に装着されたゴムリング１３ａが光軸Ｌ方向の一方側に移動される。これによって、ズームリング１３に設けられたズームリング側貫通孔１７ｃが外部から視認可能な状態となる。
次いで、ズームリング１３は、図２（ａ）に示す第１の位置に移動され、これによって、ズームリング側貫通孔１７ｃと外筒側第１貫通孔１７ａとの光軸Ｌ回りの位置が重なる（図１、図２（ａ）参照）。
ズームリング側貫通孔１７ｃと外筒側第１貫通孔１７ａとの光軸Ｌ回りの位置が重ると、第１のコネクタＣ１０が外筒側第１貫通孔１７ａ及びズームリング側貫通孔１７ｃを介して外部から視認可能となり、レンズ鏡筒１０は、第１のコネクタＣ１０にＦＰＣ３を差し込むことができる。
【００２４】
また、第２の硬質基板１６ｂに設けられた不揮発性メモリのソフトウエア等を書き換える場合、ズームリング１３は、図２（ｂ）に示す第２の位置に移動される。これによって、ズームリング側貫通孔１７ｃと外筒側第２貫通孔１７ｂとの光軸Ｌ回りの位置が重なり、第２のコネクタＣ１１が外部から視認可能な状態となる。これによって、レンズ鏡筒１０は、ＦＰＣ３を第２のコネクタＣ１１に差し込むことができる。
【００２５】
以上説明したように、本実施形態のレンズ鏡筒１０によれば、以下の効果を得ることができる。
（１）ズームリング側貫通孔１７ｃを外筒側第１貫通孔１７ａ又は外筒側第２貫通孔１７ｂに重ねることによって、レンズ鏡筒１０と端末装置とを接続するＦＰＣ３は、容易に第１のコネクタＣ１０又は第２のコネクタＣ１１にアクセス可能となる。
（２）ＦＰＣ３を第１のコネクタＣ１０又は第２のコネクタＣ１１に案内する貫通孔を、ズームレンズ群を備えるレンズ鏡筒に一般的に設けられているズームリング１３に形成したので、部品点数を低減できる。
（３）ズームリング側貫通孔１７ｃは、ソフトウエア等の書き換えを行う際以外は、ゴムリング１３ａによって覆われているので、レンズ鏡筒１０の内部にゴミ等が侵入することを防止できる。また、新たにズームリング１３に蓋部材を設ける必要がないので、部品点数を低減できる。さらに、蓋部材を装着しないので、レンズ鏡筒１０の大型化を防止できるとともに、レンズ鏡筒１０の外観品質を損なうことも防止できる。
（４）ズームリング１３を回転させて第１の位置と第２の位置との間にすることによって、外筒側第１貫通孔１７ａ及び外筒側第２貫通孔１７ｂをともに塞ぐことができるので、例えば、作業を中断する場合であっても容易にゴミ等の侵入を防止できる。これに対し、外側固定筒１１に貫通孔を設けるとともに、この貫通孔を蓋部材によって塞ぐタイプのレンズ鏡筒は、作業を中断する度に蓋部材を装着しなければならず、煩雑である。
（５）案内部１７を介してソフトウエア等の書き換えができるので、レンズ鏡筒１０をカメラ本体２から取り外す必要がない。したがって作業が容易であり、かつ、カメラ本体２の内部へゴミが侵入することも防止できる。
【００２６】
［実施形態２］
次に、本発明の実施形態２に係るレンズ鏡筒について説明する。
また、この実施形態２及び以下説明するその他の実施形態及び変形形態において、上述した実施形態１と同様な機能を果たす部分には、同一の符号又は末尾に統一した符号を付して、重複する説明や図面を適宜省略する。
図３は、実施形態２のレンズ鏡筒における光軸に直交する断面を示す断面図である。
実施形態１のレンズ鏡筒１０に備えられた回路基板１６が２枚の硬質基板を略Ｌ字状に組み合わせたものであるのに対し、実施形態２のレンズ鏡筒２０は、１枚の円環状に形成された硬質基板２６を備えている点が異なっている。
【００２７】
実施形態２の硬質基板２６は、前述のように円環状に形成された、いわゆる、ドーナツ型基板であり、その内径側に内側固定筒１５が挿入されている。硬質基板２６は、第１のコネクタＣ２０及び第２のコネクタＣ２１が実装された面が光軸Ｌに直交して配置されている。
第１のコネクタＣ２０及び第２のコネクタＣ２１は、互いに直交する２軸上にそれぞれ配置され、それぞれ外側固定筒２１の径方向外側に向けて差込口が開口している。
【００２８】
実施形態２のレンズ鏡筒２０も、実施形態１のレンズ鏡筒１０と同様に、外側固定筒２１に外筒側第１貫通孔２７ａ及び外筒側第２貫通孔２７ｂを備えている。外筒側第１貫通孔２７ａは、第１のコネクタＣ２０に対向して形成され、外筒側第２貫通孔２７ｂは、第２のコネクタＣ２１に対向して形成されている。
また、ズームリング２３も、実施形態１のレンズ鏡筒１０と同様にズームリング側貫通孔２７ｃを備えている。
【００２９】
レンズ鏡筒２０は、ズームリング２３の光軸Ｌ回りの回転によって、外筒側第１貫通孔２７ａとズームリング側貫通孔２７ｃとが重なり第１のコネクタＣ２０が外部から視認可能な状態となる第１の位置（図３参照）、及び、外筒側第２貫通孔２７ｂとズームリング側貫通孔２７ｃとが重なり第２のコネクタＣ２１が外部から視認可能な状態となる第２の位置に移動できる。
【００３０】
これによって、実施形態２のレンズ鏡筒２０も、実施形態１のレンズ鏡筒１０と同様の効果を得ることができる。また、実施形態２のレンズ鏡筒２０は、実施形態１の効果に加え、その全長を短くできるという利点がある。
【００３１】
［実施形態３］
次に、本発明の実施形態３に係るレンズ鏡筒３０について説明する。
図４は、実施形態３のレンズ鏡筒における光軸に直交する断面を示す断面図である。
実施形態３のレンズ鏡筒３０において、外側固定筒３１に設けられた外筒側貫通孔３７ａは、外側固定筒３１の外周回りの、例えば、１／４以上の領域が切り欠かれて長孔状に形成されており、かつ、第１のコネクタＣ３０に対向する位置と、第２のコネクタＣ３１に対向する位置とにわたして設けられている。
なお、図４において、レンズ鏡筒３０は、実施形態２のレンズ鏡筒２０の硬質基板２６と同様の硬質基板３６を備えているが、配線基板の構成はこれに限らず、実施形態１と同様のものであってもよい。
実施形態３のレンズ鏡筒３０は、外筒側貫通孔３７ａが長孔状に形成されているので、例えば、第１のコネクタＣ３０と第２のコネクタＣ３１との間にさらにコネクタを増設できる。
【００３２】
［実施形態４］
次に、本発明の実施形態４に係るレンズ鏡筒４０について説明する。
図５は、実施形態４のレンズ鏡筒における光軸に直交する断面を示す断面図である。
実施形態４のレンズ鏡筒４０は、ズームリング４３に貫通孔が２つ形成されている点が図４に示す実施形態３のレンズ鏡筒３０と異なっている。以下、ズームリング４３に設けられたこれらの貫通孔の一方をズームリング側貫通孔４７ｃと、他方をズームリング側貫通孔４７ｄと称して説明する。
【００３３】
ズームリング側貫通孔４７ｃ及びズームリング側貫通孔４７ｄは、互いに直交する２軸上にそれぞれ配置されており、ズームリング側貫通孔４７ｃが第１のコネクタＣ４０に対向した状態で、ズームリング側貫通孔４７ｄが、第２のコネクタＣ４１に対向する。
これにより、第１のコネクタＣ４０及び第２のコネクタＣ４１を同時に外部から視認可能な状態とすることができ、これらのコネクタＣ４０、Ｃ４１を介して２つの不揮発性メモリのソフトウエア等を同時に書き換えることができる。
【００３４】
なお、この実施形態４において、レンズ鏡筒４０は、実施形態２のレンズ鏡筒２０と同様の硬質基板４６を備えているが、配線基板の構成はこれに限らず、実施形態１と同様のものであってもよい。また、外筒側貫通孔４７ａは、実施形態１のように第１のコネクタＣ４０及び第２のコネクタＣ４１にそれぞれ対向する位置に１つずつ設けられていてもよい。
【００３５】
［実施形態５］
次に、本発明の実施形態５に係るレンズ鏡筒５０について説明する。
図６は、実施形態５のレンズ鏡筒の側面図である。
図７は、図６のＢ−Ｂ矢視断面図である。
実施形態５のレンズ鏡筒５０は、撮影光学系の焦点距離の変更が制限された、いわゆる、単焦点レンズ鏡筒であり、上述した他の実施形態のようなズームリングを備えていない。
また、レンズ鏡筒５０は、フォーカスリング５４よりも光軸Ｌ方向像側に三脚座５８が装着されている。
【００３６】
三脚座５８は、外側固定筒５１と、例えば、図示しない三脚や一脚等の支持装置とを接続するものであり、リング部５８ａ、支持部５８ｂを備えている。
リング部５８ａは、円環状に形成され、その内径側に外側固定筒５１が挿入されている。リング部５８ａと外側固定筒５１とは、光軸Ｌ回りに相対回転可能になっている。また、このリング部５８ａは、図示しないロック機構によって、外側固定筒５１に対する回転を制限することができるようになっている。
支持部５８ｂは、リング部５８ａの外周面から突き出して形成された部分であり、その中間部分が屈曲されて先端部が光軸Ｌと略平行に延在している。支持部５８ｂは、先端部に図示しないねじ孔を備えており、三脚等の雲台に備えられた図示しない固定ねじが螺合可能になっている。
【００３７】
レンズ鏡筒５０の案内部５７は、図７に示すように外筒側第１貫通孔５７ａ、外筒側第２貫通孔５７ｂ、及び三脚座側貫通孔５７ｃを備えている。外筒側第１貫通孔５７ａ、外筒側第２貫通孔５７ｂは、実施形態１の外筒側第１貫通孔１７ａ、外筒側第２貫通孔１７ｂと略同様の機能を有するものであり、それぞれ第１のコネクタＣ５０、第２のコネクタＣ５１に対向して形成されている。
【００３８】
三脚座側貫通孔５７ｃは、三脚座５８のリング部５８ａに形成された貫通孔であり、リング部５８ａをその径方向に貫通して形成されている。
三脚座５８のリング部５８ａは、この三脚座側貫通孔５７ｃを塞ぐ蓋部５８ｃが着脱可能に装着されている。蓋部５８ｃは、例えば、リング部５８ａの外周面に沿ってカーブして形成されたプレート状の部材である。なお、蓋部５８ｃは、例えば、三脚座側貫通孔５７ｃに埋め込まれるプラグ状のものであってもよい。
【００３９】
実施形態５のレンズ鏡筒５０は、三脚座５８と外側固定筒５１とを相対回転させることによって、三脚座側貫通孔５７ｃを外筒側第１貫通孔５７ａ又は外筒側第２貫通孔５７ｂに重ねることができ、これによって、ＦＰＣ３を第１のコネクタＣ５０又は第２のコネクタＣ５１に接続できる。
【００４０】
［変形形態］
本発明は、以上説明した実施形態に限定されることなく、種々の変形や変更が可能であって、それらも本発明の技術的範囲内である。
（１）本発明のレンズ鏡筒及び電子機器の構成は、実施形態に記載したものに限らず適宜変更が可能である。例えば、実施形態１〜４において、外側固定筒に設けられた貫通孔に対してズームリングに設けられた貫通孔を重ねたが、外側固定筒の貫通孔に重ねられる貫通孔は、ズームリング以外の部材に設けられていてもよく、例えば、フォーカスリングや絞り設定リングに設けてもよい。
（２）実施形態のレンズ鏡筒は、通信部であるコネクタが、例えば、２つ設けられていたが、コネクタの数はこれに限らず、例えば、１つであってもよいし、３つ以上であってもよい。この場合であっても、各コネクタに対向する位置に貫通孔が設けられていれば、各コネクタと鏡筒の外部の端末装置と容易に接続できる。
（３）実施形態のレンズ鏡筒は、不揮発性メモリと外部の端末装置とをコネクタ及びＦＰＣを介して有線接続したが、不揮発性メモリと通信端末との接続は、例えば、赤外線や電波を用いた無線接続であってもよい。この場合、通信部として、実施形態のコネクタに代えて、例えば、受光部やアンテナ等が設けられる。なお、受光部が外部から視認できる状態となるので、赤外線を用いる場合であっても、確実に通信を行うことができる。
（４）実施形態はズームリングと外側固定筒とを光軸回りに相対回転させてズームリング側貫通孔と外筒側貫通孔とを重ねたが、ズームリング（移動部）と固定筒との相対移動方向は、これに限らず、例えば、光軸Ｌ方向への直進でもよい。また、上記実施形態において、移動部は、固定筒の外側に備えられているが、移動筒は、固定筒の内側に備えられていてもよい。
（５）コネクタの配置は、各実施形態において記載したものに限らず適宜変更が可能である。
図８は、実施形態及び変形形態のコネクタの配置を示す図である。
図８（ａ）は、実施形態１のコネクタの配置を示し、コネクタＣ１０は、硬質基板１６ａの光軸Ｌ方向における略中央に配置されている。また、ＦＰＣ３の差込口は、光軸Ｌに略平行に形成されている。
図８（ｂ）は、コネクタＣ１０ａの差込口が光軸Ｌに対して傾いている。この場合、ＦＰＣ３を光軸Ｌに対して斜め方向から抜き差しする。
図８（ｃ）は、図８（ａ）に比べ、コネクタＣ１０ｂが光軸Ｌ方向における像側にオフセットされている。
図８（ｄ）は、図８（ｃ）と同様にコネクタＣ１０ｃが、光軸Ｌ方向における像側にオフセットされ、かつ、その差込口が、光軸Ｌに対して傾いている。
これらの場合であっても、外筒側貫通孔、ズームリング側貫通孔の開口寸法を実施形態よりも光軸方向に広くすることによって、又は、光軸Ｌ方向にずらすことによってＦＰＣをコネクタに差し込むことができる。
【図面の簡単な説明】
【００４１】
【図１】実施形態１のカメラシステムを示す図である。
【図２】図１のＡ−Ａ矢視断面図である。
【図３】実施形態２のレンズ鏡筒における光軸に直交する断面を示す断面図である。
【図４】実施形態３のレンズ鏡筒における光軸に直交する断面を示す断面図である。
【図５】実施形態４のレンズ鏡筒における光軸に直交する断面を示す断面図である。
【図６】実施形態５のレンズ鏡筒の側面図である。
【図７】図６のＢ−Ｂ矢視断面図である。
【図８】実施形態及び変形形態のコネクタの配置を示す図である。
【符号の説明】
【００４２】
１  カメラシステム  ：  １０  レンズ鏡筒  ：  １１  外側固定筒  ：  １３  ズームリング  ：  １３ａ  ゴムリング  ：  １４  フォーカスリング  ：  １７ａ  外筒側第１貫通孔  ：  １７ｂ  外筒側第２貫通孔  ：  １７ｃ  ズームリング側貫通孔  ：  Ｃ１０  第１のコネクタ  ：  Ｃ１１  第２のコネクタ
【図１】
2008111980.tif 000003
【図２】
2008111980.tif 000004
【図３】
2008111980.tif 000005
【図４】
2008111980.tif 000006
【図５】
2008111980.tif 000007
【図６】
2008111980.tif 000008
【図７】
2008111980.tif 000009
【図８】
2008111980.tif 000010